(57)【要約】【課題】印字されている商品の中から、所望の商品を見付け出すことが容易な体裁でレシートに印字することができ、顧客にとっての利便性に優れたＰＯＳ装置を提供する。【解決手段】入力部２０と、制御部１０と、印字部４０とを有している。制御部１０は、一会計において購入された商品を、商品名の五十音順で並び替え、当該順序を示す情報を印字用データに含ませる。印字部４０は、商品名の五十音順で商品を列挙した体裁でレシートに精算結果を印字する。【選択図】図１
2013134572.tif 000002
【特許請求の範囲】
【請求項１】
商品に付された識別情報を読み取るか、手動入力を受け付けることによって商品名、単価および数量に相当する情報を取得する入力部と、
前記入力部によって取得された情報に基づいて商品の商品名、単価および数量を販売情報として記憶し、さらに、商品の商品名、単価および数量に基づいて一会計毎に精算を行い、商品の商品名、単価および数量ならびに合計金額を少なくとも含む精算結果を印字用データとして生成する制御部と、
前記制御部によって生成された印字用データに基づいて、レシートの印字送り方向に商品を列挙した体裁でレシートに精算結果を印字する印字部とを有し、
前記制御部は、一会計において購入された商品を、商品名の五十音順で並び替え、当該順序を示す情報を前記印字用データに含ませ、
前記印字部は、商品名の五十音順で商品を列挙した体裁でレシートに精算結果を印字することを特徴とするＰＯＳ装置。
【請求項２】
前記制御部は、一会計において購入された商品それぞれについて、当該商品名の先頭文字が対応する五十音の行文字「あ〜わ」のいずれかである見出し文字を抽出し、当該見出し文字を示す情報を印字用データにさらに含ませ、
前記印字部は、商品名の先頭文字が共通の見出し文字に対応する商品のうちの最上段に列挙された商品に付随して見出し文字を配置する体裁でレシートに精算結果を印字する請求項１に記載のＰＯＳ装置。
【請求項３】
商品がセット販売されるセット商品であって、セット商品に属する副商品の少なくとも商品名をもレシートに印字する場合に、
前記制御部は、一会計において購入されたセット商品を、商品名の五十音順で並び替え、かつ、副商品については、対応するセット商品に引き続いて並べ、当該順序を示す情報を前記印字用データに含ませ、
前記印字部は、商品名の五十音順で商品を列挙し、かつ、副商品については、対応するセット商品に引き続いて段落落ちさせて並べた体裁でレシートに精算結果を印字する請求項１または２に記載のＰＯＳ装置。
【請求項４】
前記制御部は、購入された各セット商品に属する副商品を、対応するセット商品に引き続いて、かつ、商品名の五十音順で並べ、当該順序を示す情報を前記印字用データに含ませ、
前記印字部は、副商品については、対応するセット商品に引き続いて段落落ちさせ、かつ、商品名の五十音順で並べた体裁でレシートに精算結果を印字する請求項３に記載のＰＯＳ装置。
【請求項５】
前記識別情報は、バーコードの形態で商品に付されており、
前記入力部は、バーコードリーダを備え、かつ、バーコードからＰＬＵコードを取得し、
前記制御部は、ＰＬＵコードと、商品の商品名および単価との対応を表すＰＬＵファイルを予め記憶しており、かつ、前記バーコードリーダによって取得されたＰＬＵコードに基づいて前記ＰＬＵファイルを参照して商品の商品名および単価を抽出した後、商品の数量と共に販売情報として記憶する請求項１乃至４のいずれか一項に記載のＰＯＳ装置。
【請求項６】
購入商品の精算処理を行ってレシートを発行するＰＯＳ装置のレシート印字方法であって、
前記ＰＯＳ装置は、
商品に付された識別情報を読み取るか、手動入力を受け付けることによって商品名、単価および数量に相当する情報を取得し、
取得された情報に基づいて商品の商品名、単価および数量を販売情報として記憶し、さらに、商品の商品名、単価および数量に基づいて一会計毎に精算を行い、商品の商品名、単価および数量ならびに合計金額を少なくとも含む精算結果を、商品名の五十音順で並び替え、当該順序を示す情報を前記印字用データに含ませて印字用データとして生成し、
生成された印字用データに基づいて、レシートの印字送り方向に商品名の五十音順で商品を列挙した体裁でレシートに精算結果を印字することを特徴とするＰＯＳ装置のレシート印字方法。
【請求項７】
前記印字用データには、一会計において購入された商品それぞれについて、当該商品名の先頭文字が対応する五十音の行文字「あ〜わ」のいずれかである見出し文字を抽出し、当該見出し文字を示す情報をさらに含ませ、
商品名の先頭文字が共通の見出し文字に対応する商品のうちの最上段に列挙された商品に付随して見出し文字を配置する体裁でレシートに精算結果を印字する請求項６に記載のＰＯＳ装置のレシート印字方法。
【発明の詳細な説明】
【技術分野】
【０００１】
本発明は、顧客が購入した商品もしくは有償利用したサービス（以後、商品または購入商品と呼ぶ）に関する情報を販売情報として記憶すると共に一会計毎の精算を行い、精算結果をレシートに印字するＰＯＳ装置に関する。
【背景技術】
【０００２】
一般に、この種のＰＯＳ装置は、商品登録（購入商品に関する情報の取得および記憶）された順序で複数の商品を列挙した体裁で精算結果をレシートに印字する。
【０００３】
一方、商品登録された順番とは異なる順序で商品を列挙した体裁でレシートに印字するＰＯＳ装置は、例えば、特許文献１に開示されている。特許文献１には、店舗において販売される食料品、衣料品、日用雑貨等の複数の部門毎に分類して商品を列挙した体裁でレシートに印字することが記載されている。
【先行技術文献】
【特許文献】
【０００４】
【特許文献１】特開平４−２４８９８号公報
【発明の概要】
【発明が解決しようとする課題】
【０００５】
前述したようなＰＯＳ装置によると、顧客が多くの商品を購入し、その会計のレシートから、特定の商品が正しく登録されているかや、商品の価格を確認しようとする場合、顧客はレシートに印字されている多数の商品の中から、その商品を見付け出すのに時間を要していた。
【０００６】
また、ファミリーレストラン等において複数人のグループで食事をし、一人が支払いを行った後、グループの中で精算しようとするとき、商品（注文品）が多ければ多いほど、レシートに印字されている注文品の中から自分の注文品を見付け出すのに時間を要していた。
【０００７】
また、特許文献１の技術によっても、食料品、衣料品等の部門に分類されるに過ぎないため、その部門に属する商品が多数ある場合には、結局は、レシートに印字されている商品の中から所望の商品を見付け出すことが困難であることに変わりはない。
【０００８】
それ故、本発明の課題は、印字されている商品の中から、所望の商品を見付け出すことが容易な体裁でレシートに印字することができ、顧客にとっての利便性に優れたＰＯＳ装置を提供することである。
【課題を解決するための手段】
【０００９】
本発明によれば、商品に付された識別情報を読み取るか、手動入力を受け付けることによって商品名、単価および数量に相当する情報を取得する入力部と、前記入力部によって取得された情報に基づいて商品の商品名、単価および数量を販売情報として記憶し、さらに、商品の商品名、単価および数量に基づいて一会計毎に精算を行い、商品の商品名、単価および数量ならびに合計金額を少なくとも含む精算結果を印字用データとして生成する制御部と、前記制御部によって生成された印字用データに基づいて、レシートの印字送り方向に商品を列挙した体裁でレシートに精算結果を印字する印字部とを有し、前記制御部は、一会計において購入された商品を、商品名の五十音順で並び替え、当該順序を示す情報を前記印字用データに含ませ、前記印字部は、商品名の五十音順で商品を列挙した体裁でレシートに精算結果を印字することを特徴とするＰＯＳ装置が得られる。
【００１０】
尚、前記制御部は、一会計において購入された商品それぞれについて、当該商品名の先頭文字が対応する五十音の行文字「あ〜わ」のいずれかである見出し文字を抽出し、当該見出し文字を示す情報を印字用データにさらに含ませ、前記印字部は、商品名の先頭文字が共通の見出し文字に対応する商品のうちの最上段に列挙された商品に付随して見出し文字を配置する体裁でレシートに精算結果を印字するものであってもよい。
【００１１】
また、商品がセット販売されるセット商品であって、セット商品に属する副商品の少なくとも商品名をもレシートに印字する場合に、前記制御部は、一会計において購入されたセット商品を、商品名の五十音順で並び替え、かつ、副商品については、対応するセット商品に引き続いて並べ、当該順序を示す情報を前記印字用データに含ませ、前記印字部は、商品名の五十音順で商品を列挙し、かつ、副商品については、対応するセット商品に引き続いて段落落ちさせて並べた体裁でレシートに精算結果を印字するものであってもよい。
【００１２】
さらに、前記制御部は、購入された各セット商品に属する副商品を、対応するセット商品に引き続いて、かつ、商品名の五十音順で並べ、当該順序を示す情報を前記印字用データに含ませ、前記印字部は、副商品については、対応するセット商品に引き続いて段落落ちさせ、かつ、商品名の五十音順で並べた体裁でレシートに精算結果を印字するものであってもよい。
【００１３】
さらにまた、前記識別情報は、バーコードの形態で商品に付されており、前記入力部は、バーコードリーダを備え、かつ、バーコードからＰＬＵコードを取得し、前記制御部は、ＰＬＵコードと、商品の商品名および単価との対応を表すＰＬＵファイルを予め記憶しており、かつ、前記バーコードリーダによって取得されたＰＬＵコードに基づいて前記ＰＬＵファイルを参照して商品の商品名および単価を抽出した後、商品の数量と共に販売情報として記憶するものであってもよい。
【００１４】
本発明によれば、購入商品の精算処理を行ってレシートを発行するＰＯＳ装置のレシート印字方法であって、前記ＰＯＳ装置は、商品に付された識別情報を読み取るか、手動入力を受け付けることによって商品名、単価および数量に相当する情報を取得し、取得された情報に基づいて商品の商品名、単価および数量を販売情報として記憶し、さらに、商品の商品名、単価および数量に基づいて一会計毎に精算を行い、商品の商品名、単価および数量ならびに合計金額を少なくとも含む精算結果を、商品名の五十音順で並び替え、当該順序を示す情報を前記印字用データに含ませて印字用データとして生成し、生成された印字用データに基づいて、レシートの印字送り方向に商品名の五十音順で商品を列挙した体裁でレシートに精算結果を印字することを特徴とするＰＯＳ装置のレシート印字方法が得られる。
【００１５】
尚、前記印字用データには、一会計において購入された商品それぞれについて、当該商品名の先頭文字が対応する五十音の行文字「あ〜わ」のいずれかである見出し文字を抽出し、当該見出し文字を示す情報をさらに含ませ、商品名の先頭文字が共通の見出し文字に対応する商品のうちの最上段に列挙された商品に付随して見出し文字を配置する体裁でレシートに精算結果を印字するようにしてもよい。
【発明の効果】
【００１６】
本発明によるＰＯＳ装置は、印字されている商品の中から、所望の商品を見付け出すことが容易な体裁でレシートに印字することができ、顧客にとっての利便性に優れている。
【図面の簡単な説明】
【００１７】
【図１】本発明の実施例１によるＰＯＳ装置の構成を示すブロック図である。
【図２】図１に示されたＰＯＳ装置の動作を説明するためのフロー図である。
【図３】本発明の実施例１によるＰＯＳ装置によるレシートの印字例を示す図である。
【図４】本発明の実施例２によるＰＯＳ装置によるレシートの印字例を示す図である。
【図５】本発明の実施例３によるＰＯＳ装置によるレシートの印字例を示す図である。
【発明を実施するための形態】
【００１８】
本発明によるＰＯＳ装置は、制御部と、入力部と、印字部とを有している。
【００１９】
入力部は、商品に付された識別情報を読み取るか、手動入力を受け付けることによって商品名、単価および数量に相当する情報を取得する。
【００２０】
制御部は、入力部によって取得された情報に基づいて商品の商品名、単価および数量を販売情報として記憶し、さらに、商品の商品名、単価および数量に基づいて一会計毎に精算を行い、商品の商品名、単価および数量ならびに合計金額を少なくとも含む精算結果を印字用データとして生成する。
【００２１】
印字部は、制御部によって生成された印字用データに基づいて、レシートの印字送り方向に商品を列挙した体裁でレシートに精算結果を印字する。
【００２２】
特に、本ＰＯＳ装置において、制御部は、一会計において購入された商品を、商品名の五十音順で並び替え、その順序を示す情報を印字用データに含ませる。一方、印字部は、商品名の五十音順で商品を列挙した体裁でレシートに精算結果を印字する。
【００２３】
上記構成により、本ＰＯＳ装置は、印字されている商品の中から、所望の商品を見付け出すことが容易な体裁でレシートに印字することができ、顧客にとっての利便性に優れている。
【００２４】
以下、図面を参照して、本発明によるＰＯＳ装置の具体的な実施例を説明する。
【実施例１】
【００２５】
図１を参照すると、本発明の実施例１によるＰＯＳ装置は、例えば、コンビニエンスストアやスーパーマーケットなどの店舗のレジカウンタに設置される装置であって、制御部１０と、入力部２０と、表示部３０と、印字部４０とを有している。
【００２６】
入力部２０は、バーコードリーダ、キーボード等によって構成され、商品に付された識別情報を読み取るか、手動入力を受け付けることによって商品名、単価および数量に相当する情報を取得する。
【００２７】
制御部１０は、ＣＰＵ（Central Processing Unit）、ＲＯＭ（Read Only Memory）、ＲＡＭ（Random Access Memory）、ＨＤＤ（Hard Disk Drive）またはＳＳＤ（Solid-state Storage Drive）、周辺機器インターフェース、通信インターフェース、および電源回路等によって構成され、装置の全ての動作を制御する。
【００２８】
これと共に、制御部１０は、入力部２０によって取得された情報に基づいて商品の商品名、単価および数量を販売情報としてデータベースに更新的に記憶する。尚、販売情報は、必要に応じて、店舗の経理室等あるいは本社に設置されている上位のホスト装置にネットワークを介して転送されてもよい。尚、各商品の識別情報を取得して販売情報として記憶するまでの一連の動作は、商品登録とも呼ばれる。
【００２９】
制御部１０はさらに、商品の商品名、単価および数量に基づいて一会計毎に精算を行い、商品の商品名、単価および数量ならびに合計金額を少なくとも含む精算結果を印字用データとして生成し、印字部４０に対して出力する。
【００３０】
表示部３０は、液晶ディスプレイ等のディスプレイであって、顧客の購入商品の明細等を表示する。
【００３１】
印字部４０は、プリンタであって、制御部１０によって生成された印字用データに基づいて、レシートの印字送り方向に商品を列挙した体裁でレシートに精算結果を印字する。
【００３２】
本例において、バーコードリーダを除く入力部２０、表示部３０、印字部４０は、制御部１０と共通の筐体に収容されている。ただし、入力部２０、表示部３０、印字部４０のいずれかが、制御部１０と個別の筐体に収容されてもよい。
【００３３】
尚、識別情報は、バーコードの形態で商品に付されている。
【００３４】
入力部２０は、前述したごとくバーコードリーダを備えており、かつ、バーコードからＰＬＵ（Price Look Up ）コードを取得する。同じ商品が２個以上の場合は、入力部２０のキーボードから数量が入力されてもよい。
【００３５】
一方、制御部１０は、ＰＬＵコードと、商品の商品名および単価との対応を表すＰＬＵファイルを前述した記憶デバイスに予め記憶しており、かつ、入力部２０のバーコードリーダによって取得されたＰＬＵコードに基づいてＰＬＵファイルを参照して商品の商品名および単価を抽出した後、商品の数量と共に販売情報として記憶する。ＰＬＵファイルは、制御部２０に記憶しておくのではなく、制御部２０からネットワークを介して前述したホスト装置に問い合わせるようにしてもよい。
【００３６】
また、バーコードが商品に付されているとは、バーコードが商品に印刷されていること、バーコードラベルが商品に貼り付けられていること、あるいは、商品に対応したバーコードが印刷されたペーパがレジカウンタに用意されていることをも意味する。
【００３７】
さて、本ＰＯＳ装置において、制御部１０は、一会計において購入された商品を、商品名の五十音順（あいうえお順）で並び替え、その順序を示す情報を印字用データに含ませる。
【００３８】
また、印字部４０は、商品名の五十音順で商品を列挙した体裁でレシートに精算結果を印字する。
【００３９】
次に、さらに図２および図３を参照して、本ＰＯＳ装置による、商品登録、精算およびレシートへの印字までの一連の動作を説明する。
【００４０】
いま、スーパーマーケットにおいて顧客（買い物客）が複数の商品を買い物ワゴンに入れて会計のためにレジカウンタに来たとする。
【００４１】
ステップＳ１０において、レジカウンタの店員は、入力部２０のバーコードとキーボードを用いて、複数の商品を任意の順序でそれぞれ、識別情報や数量を読み取りや入力を行う。制御部１０は、入力部２０のバーコードリーダからのＰＬＵコードに基づき、予め記憶しているＰＬＵファイルを参照して該当する商品の商品名および単価を抽出し、入力部２０のバーコードリーダからの商品の数量と共に販売情報としてデータベースに記憶し、商品登録がなされる。登録内容は、随時、表示部３０のうちの少なくとも店員向けのディスプレイに表示される。登録が済んだ商品は、店員によって会計済み商品用のカゴもしくはレジ袋に収められる。尚、店員が入力部２０の会計実行ボタンを押すまでは、商品登録が繰り返される（ステップＳ２０）。
【００４２】
店員によって入力部２０のキーボードにおける会計実行ボタンが押されると、ステップＳ３０において、制御部１０は、今回の会計における全商品の商品名、単価および数量に基づいて精算を行う。表示部３０の店員向けのディスプレイおよび顧客向けのディスプレイの両方に、合計金額が表示される。顧客は、合計金額に応じた金銭を店員に手渡すか、あるいは、クレジットカード等をカードリーダにかざす。店員は、金銭を受け取った場合には、受け取り金額を入力部２０のキーボードで入力するか、あるいは、本ＰＯＳ装置に金銭判別器が備えられている場合には金銭を挿入する。そして、つり銭がある場合には、用意される。尚、カードリーダや金銭判別器も、本ＰＯＳ装置の入力部２０の構成要素である。
【００４３】
続いて、ステップＳ４０において、制御部１０は、商品の商品名、単価および数量、合計金額、税金額、預かり金額、お釣り等を含む精算結果と、店舗名、精算日時や担当店員名等を印字用データとして生成する。ここで、制御部１０は、一会計において購入された全商品を、商品名の五十音順（あいうえお順）で並び替え、その順序を示す情報を印字用データに含ませる。
【００４４】
次いで、ステップＳ５０において、制御部１０からの印字用データを受けた印字部４０は、図３に示されるように、商品名の五十音順で商品を列挙した体裁でレシートに精算結果等を印字する。印字が完了したレシートは手動または自動的に切断され、お釣りがある場合にはお釣りと一緒に、店員から顧客に手渡される。
【００４５】
図３に示されるように、本ＰＯＳ装置によって印字されたレシートにおいては、商品名の五十音順で商品を列挙した体裁で印字されている。このレシートは、顧客が所望の商品を見付け出し易いレシートとなっている。
【００４６】
尚、商品印字順の並べ替えは、商品登録の完了と精算処理の間で行うようにしてもよい。
【実施例２】
【００４７】
本発明の実施例２は、レシートへの印字の体裁ならびにそのための制御部および印字部の動作が、実施例１と異なる。このため、実施例１と同一または同様の部分については、実施例１における説明と参照図面を援用することとし、詳細な説明は省略する。
【００４８】
図１を流用して参照すると、実施例２のＰＯＳ装置は、実施例１と同様に、例えば、コンビニエンスストアやスーパーマーケットなどの店舗のレジカウンタに設置される装置であって、制御部１０と、入力部２０と、表示部３０と、印字部４０とを有している。
【００４９】
ただし、実施例２においては、制御部１０は、一会計において購入された全商品それぞれについて、各商品名の先頭文字が対応する五十音の行文字「あ〜わ」のいずれかである見出し文字を抽出し、当該見出し文字を示す情報を印字用データにさらに含ませる。
【００５０】
また、印字部４０は、商品名の先頭文字が共通の見出し文字に対応する商品のうちの最上段に列挙された商品に付随して見出し文字を配置する体裁でレシートに精算結果を印字する。
【００５１】
より具体的には、図２を流用して参照すると、ステップＳ１０〜ステップＳ３０までは実施例１と同様に動作する。
【００５２】
次いで、ステップＳ４０において、制御部１０は、一会計において購入された全商品を、商品名の五十音順（あいうえお順）で並び替え、かつ、各商品について、商品名の先頭文字が対応する五十音の行文字「あ〜わ」のいずれかである見出し文字「（あ）、（か）、（さ）・・・（ら）、（わ）」のいずれかを抽出し、その順序を示す情報と共に、見出し文字を示す情報を印字用データに含ませる。
【００５３】
続いて、ステップＳ５０において、制御部１０からの印字用データを受けた印字部４０は、図４に示されるように、商品名の五十音順で商品を列挙し、かつ、商品名の先頭文字が共通の見出し文字に対応する商品のうちの最上段に列挙された商品の例えば左側に付随して見出し文字を配置する体裁でレシートに精算結果等を印字する。
【００５４】
図４に示されるように、本ＰＯＳ装置によって印字されたレシートにおいては、商品名の五十音順で商品を列挙し、かつ、商品名の先頭文字が共通の見出し文字に対応する商品のうちの最上段に列挙された商品の左側に見出し文字を配置する体裁で印字されている。このレシートは、顧客が所望の商品を図３よりもさらに見付け出し易いレシートとなっている。
【００５５】
尚、図４に示された例では、該当する商品のない「な行」を表す見出し文字「（な）」と、「や行」を表す見出し文字「（や）」については印字されていないが、該当する商品のない行についても、見出し文字を印字するようにしてもよい。
【実施例３】
【００５６】
本発明の実施例３は、レシートへの印字の体裁ならびにそのための制御部および印字部の動作が、実施例１、２と異なる。このため、実施例１、２と同一または同様の部分については、実施例１、２における説明と参照図面を援用することとし、詳細な説明は省略する。
【００５７】
図１を流用して参照すると、実施例３のＰＯＳ装置は、実施例１、２と同様に、制御部１０と、入力部２０と、表示部３０と、印字部４０とを有している。
【００５８】
ただし、実施例３のＰＯＳ装置は、例えば、レストランなど飲食店のオーダエントリシステムにおけるＰＯＳ端末として、飲食店のレジカウンタに設置され、商品（メニュー）がセット販売されるセット商品（例えば、ステーキコース、ハンバーグセット等）であって、セット商品に属する副商品（例えば、ドリンクバー、ライス、パン、サラダ、スープ、デザート等）の少なくとも商品名をもレシートに印字する場合に対応し得る装置である。
【００５９】
実施例３において、制御部１０は、一会計において購入されたセット商品を、商品名の五十音順で並び替え、かつ、副商品については、対応するセット商品に引き続いて並べ、当該順序を示す情報を印字用データに含ませる。
【００６０】
また、印字部４０は、商品名の五十音順で商品を列挙し、かつ、副商品については、対応するセット商品に引き続いて段落落ちさせて並べた体裁でレシートに精算結果を印字する。
【００６１】
より具体的には、図２を流用して参照すると、ステップＳ１０〜ステップＳ３０までは実施例１、２と同様に動作する。
【００６２】
次いで、ステップＳ４０において、制御部１０は、一会計において購入された全商品を、実施例２と同様に商品名の五十音順（あいうえお順）で並び替え、かつ、各商品について、商品名の先頭文字が対応する五十音の行文字「あ〜わ」のいずれかである見出し文字「（あ）、（か）、（さ）・・・（ら）、（わ）」のいずれかを抽出することに加え、さらに副商品については、対応するセット商品に引き続いて並べ、商品の順序を示す情報と共に見出し文字を示す情報を、印字用データに含ませる。
【００６３】
続いて、ステップＳ５０において、制御部１０からの印字用データを受けた印字部４０は、図５に示されるように、商品名の五十音順で商品を列挙し、かつ、商品名の先頭文字が共通の見出し文字に対応する商品のうちの最上段に列挙された商品の例えば左側に付随して見出し文字を配置し、さらに、副商品については、対応するセット商品に引き続いて段落落ちさせて並べた体裁でレシートに精算結果等を印字する。
【００６４】
図５に示されるように、本ＰＯＳ装置によって印字されたレシートにおいては、商品名の五十音順で商品を列挙し、かつ、商品名の先頭文字が共通の見出し文字に対応する商品のうちの最上段に列挙された商品の左側に見出し文字を配置し、さらに、副商品については、対応するセット商品に引き続いて段落落ちさせて並べた体裁で印字されている。このレシートは、顧客が所望の商品（セット商品をも含む）を見付け出し易いレシートとなっている。
【００６５】
尚、図５に示された例では、ドリンクバー、ライス、デザート等の副商品は五十音順ではなく、セット料理やコース料理で一般的に飲食される順序で列挙しているが、副商品についても五十音順（あいうえお順）で印字するように構成してもよい。あるいは、副商品は、レシートに印字しないようにしてもよい。
【産業上の利用可能性】
【００６６】
以上、実施例を参照して本発明を説明したが、本発明の構成や詳細については、当業者が理解し得る様々な変更を加えることができる。
【符号の説明】
【００６７】
１０    制御部
２０    入力部
３０    表示部
４０    印字部
【図１】
2013134572.tif 000003
【図２】
2013134572.tif 000004
【図３】
2013134572.tif 000005
【図４】
2013134572.tif 000006
【図５】
2013134572.tif 000007